(57)【要約】【課題】長期の使用に耐え、一般の建物に実施することができる吊り階段の構築方法を提供する。【解決手段】複数の吊りロッド６，・・・と支持材５と固定部材８，・・・とから成る吊りロッドパネル２１，２２，２３を用いる吊り階段２Ａの構築方法であり、段板９，・・・の幅と略同一の間隔で、吊りロッドパネル２１，２１及び吊りロッドパネル２３，２３をそれぞれ略平行に配置し、吊りロッドパネル２１，２１及び吊りロッドパネル２３，２３を、支持面としての床材１０ａの上に設置した位置決め用治具１３によりそれぞれ仮位置決めし、固定部材８，８間に段板９，・・・を固定した後に、吊りロッドパネル２１，２１及び吊りロッドパネル２３，２３の支持材５を吊り部としての天井梁３に固定し、位置決め用治具１３を撤去して吊り階段２Ａを構築する構成とされている。【選択図】図７
2011099255.tif 000002
【特許請求の範囲】
【請求項１】
複数の吊りロッドとこれら複数の吊りロッドの上端部が支持される支持材とこれら複数の吊りロッドの下端部に設けられた固定部材とから成る吊りロッドパネルを用いる吊り階段の構築方法であり、
段板の幅と略同一の間隔で、前記吊りロッドパネルを略平行に配置し、
前記吊りロッドパネルを、支持面の上に設置した位置決め用治具により仮位置決めし、
前記固定部材間に前記段板を固定した後に、前記吊りロッドパネルの前記支持材を吊り部に固定し、前記位置決め用治具を撤去して吊り階段を構築することを特徴とする吊り階段の構築方法。
【請求項２】
複数の吊りロッドとこれら複数の吊りロッドの上端部が支持される支持材とこれら複数の吊りロッドの下端部に設けられた固定部材とから成る吊りロッドパネル、及び壁プレート材とこの壁プレート材の表面に設けられた固定部材とから成る壁プレートを用いる吊り階段の構築方法であり、
段板の幅と略同一の間隔で、前記吊りロッドパネルと前記壁プレートとを略平行に配置し、
前記吊りロッドパネル及び前記壁プレートを、支持面の上に設置した位置決め用治具により仮位置決めし、
前記吊りロッドパネルの前記固定部材と前記壁プレートの前記固定部材との間に前記段板を固定した後に、前記吊りロッドパネルの前記支持材を吊り部に固定するとともに、前記壁プレートを壁に固定し、前記位置決め用治具を撤去して吊り階段を構築することを特徴とする吊り階段の構築方法。
【請求項３】
前記壁プレートには、その上面と下面とが、略平行な平面であるものを用いることを特徴とする請求項２に記載の吊り階段の構築方法。
【請求項４】
前記壁プレートには、長手方向に複数に分割されたものを用いることを特徴とする請求項２又は３に記載の吊り階段の構築方法。
【請求項５】
前記段板を前記固定部材に固定する前に、前記位置決め用治具間を連結部材により連結するとともに、少なくとも一方の前記位置決め用治具に自立用脚部材を取り付けることを特徴とする請求項１乃至４のいずれか１項に記載の吊り階段の構築方法。
【請求項６】
前記吊り階段の一部乃至全体を、建物ユニット内に予め構築することを特徴とする請求項１乃至５のいずれか１項に記載の吊り階段の構築方法。
【発明の詳細な説明】
【技術分野】
【０００１】
本発明は、吊り階段の構築方法に関するものである。
【背景技術】
【０００２】
従来から、吊り階段は周知のものであり、関連する技術は多数提案されている（例えば特許文献１を参照）。
【先行技術文献】
【特許文献】
【０００３】
【特許文献１】特開２００５−６７８４４号公報
【発明の概要】
【発明が解決しようとする課題】
【０００４】
しかしながら、上記した特許文献１のような多くの吊り階段は、長期の使用に耐え得るだけの強度を有しないため、殆どが仮設用として使用されており、一般の建物には実施されていないのが実情である。
【０００５】
そこで、本発明は、長期の使用に耐え、一般の建物に実施することができる吊り階段の構築方法を提供することを目的としている。
【課題を解決するための手段】
【０００６】
前記目的を達成するために、本発明の第１の吊り階段の構築方法は、複数の吊りロッドとこれら複数の吊りロッドの上端部が支持される支持材とこれら複数の吊りロッドの下端部に設けられた固定部材とから成る吊りロッドパネルを用いる吊り階段の構築方法であり、段板の幅と略同一の間隔で、前記吊りロッドパネルを略平行に配置し、前記吊りロッドパネルを、支持面の上に設置した位置決め用治具により仮位置決めし、前記固定部材間に前記段板を固定した後に、前記吊りロッドパネルの前記支持材を吊り部に固定し、前記位置決め用治具を撤去して吊り階段を構築することを特徴とする。
【０００７】
本発明の第２の吊り階段の構築方法は、複数の吊りロッドとこれら複数の吊りロッドの上端部が支持される支持材とこれら複数の吊りロッドの下端部に設けられた固定部材とから成る吊りロッドパネル、及び壁プレート材とこの壁プレート材の表面に設けられた固定部材とから成る壁プレートを用いる吊り階段の構築方法であり、段板の幅と略同一の間隔で、前記吊りロッドパネルと前記壁プレートとを略平行に配置し、前記吊りロッドパネル及び前記壁プレートを、支持面の上に設置した位置決め用治具により仮位置決めし、前記吊りロッドパネルの前記固定部材と前記壁プレートの前記固定部材との間に前記段板を固定した後に、前記吊りロッドパネルの前記支持材を吊り部に固定するとともに、前記壁プレートを壁に固定し、前記位置決め用治具を撤去して吊り階段を構築することを特徴とする。
【０００８】
ここで、前記壁プレートには、その上面と下面とが、略平行な平面であるものを用いるとよい。
【０００９】
また、前記壁プレートには、長手方向に複数に分割されたものを用いるとよい。
【００１０】
さらに、前記段板を前記固定部材に固定する前に、前記位置決め用治具間を連結部材により連結するとともに、少なくとも一方の前記位置決め用治具に自立用脚部材を取り付けるとよい。
【００１１】
また、前記吊り階段の一部乃至全体を、建物ユニット内に予め構築してもよい。
【発明の効果】
【００１２】
このような本発明の第１の吊り階段の構築方法は、複数の吊りロッドとこれら複数の吊りロッドの上端部が支持される支持材とこれら複数の吊りロッドの下端部に設けられた固定部材とから成る吊りロッドパネルを用いる吊り階段の構築方法である。
【００１３】
そして、段板の幅と略同一の間隔で、吊りロッドパネルを略平行に配置し、吊りロッドパネルを、支持面の上に設置した位置決め用治具により仮位置決めし、固定部材間に段板を固定した後に、吊りロッドパネルの支持材を吊り部に固定し、位置決め用治具を撤去して吊り階段を構築する構成とされている。
【００１４】
こうした構成なので、吊りロッドパネルと段板とを容易に精度よく組み付けることができるため、長期の使用に耐える吊り階段を、一般の建物に構築することができる。
【００１５】
本発明の第２の吊り階段の構築方法は、複数の吊りロッドとこれら複数の吊りロッドの上端部が支持される支持材とこれら複数の吊りロッドの下端部に設けられた固定部材とから成る吊りロッドパネル、及び壁プレート材とこの壁プレート材の表面に設けられた固定部材とから成る壁プレートを用いる吊り階段の構築方法である。
【００１６】
そして、段板の幅と略同一の間隔で、吊りロッドパネルと壁プレートとを略平行に配置し、吊りロッドパネル及び壁プレートを、支持面の上に設置した位置決め用治具により仮位置決めし、吊りロッドパネルの固定部材と壁プレートの固定部材との間に段板を固定した後に、吊りロッドパネルの支持材を吊り部に固定するとともに、壁プレートを壁に固定し、位置決め用治具を撤去して吊り階段を構築する構成とされている。
【００１７】
こうした構成なので、吊りロッドパネルと壁プレートと段板とを容易に精度よく組み付けることができるため、長期の使用に耐える吊り階段を、一般の建物に構築することができる。
【００１８】
ここで、壁プレートには、その上面と下面とが、略平行な平面であるものを用いる場合は、壁に壁紙などの壁仕上げ材を貼り付ける際に、壁プレートとの見切り部分が略直線状となるため、容易に貼り付けることができる。
【００１９】
また、壁プレートには、長手方向に複数に分割されたものを用いる場合は、壁プレートが分割されているので、サイズ的に取り扱いが容易なうえに、分割された壁プレートの一部を壁に固定し、残りの分割された壁プレートは、これに組み合わせて壁に固定すればよく、壁プレートの壁への固定作業を容易に行うことができる。
【００２０】
さらに、段板を固定部材に固定する前に、位置決め用治具間を連結部材により連結するとともに、少なくとも一方の位置決め用治具に自立用脚部材を取り付ける場合は、段板を固定部材に固定する際に、位置決め用治具が揺れずに安定するため、正確な固定作業を行うことができる。
【００２１】
また、吊り階段の一部乃至全体を、建物ユニット内に予め構築する場合は、ユニット建物に吊り階段を構築する工程の一部乃至全体を工場で済ますことができるため、ユニット建物の工期を短縮することができる。
【図面の簡単な説明】
【００２２】
【図１】実施例１の吊り階段を備えたユニット建物の概略構成を示す説明図である。
【図２】図１のＡ−Ａ線矢視拡大断面図である。
【図３】実施例１の吊り階段に用いられる吊りロッドパネルの概略構成を示す斜視図である。
【図４】実施例１の吊り階段に用いられる吊りロッドパネルの概略構成を示す斜視図である。
【図５】実施例１の吊り階段に用いられる吊りロッドパネルの概略構成を示す斜視図である。
【図６】一体にした建物ユニットの概略構成を示す説明図である。
【図７】（ａ）〜（ｃ）は、実施例１の吊り階段の構築方法の工程を示す説明図である。
【図８】吊りロッドパネルと天井梁との接合部を示す拡大図である。
【図９】吊りロッドパネル及び段板を固定した後の一体にした建物ユニットの概略構成を示す説明図である。
【図１０】吊りロッドパネル及び段板を固定した後の一体にした建物ユニットの概略構成を示す説明図である。
【図１１】実施例１の吊り階段の構築方法において、建物本体まで構築した段階を示す説明図である。
【図１２】図１１のＢ−Ｂ線矢視拡大断面図である。
【図１３】実施例２の吊り階段を備えたユニット建物の概略構成を示す説明図である。
【図１４】実施例２の段板と壁との接合部を示す拡大斜視図である。
【図１５】壁プレートを構成する壁プレートピースの拡大斜視図である。
【図１６】（ａ）〜（ｃ）は、実施例２の吊り階段の構築方法の工程を示す説明図である。
【図１７】吊りロッドパネル、壁プレートピース及び段板を固定した後の一体にした建物ユニットの概略構成を示す説明図である。
【図１８】吊りロッドパネル、壁プレートピース及び段板を固定した後の一体にした建物ユニットの概略構成を示す説明図である。
【図１９】実施例２の吊り階段の構築方法において、建物本体まで構築した段階を示す説明図である。
【発明を実施するための形態】
【００２３】
以下、本発明を実施するための形態を、図面に示す実施例１，２に基づいて説明する。
【実施例１】
【００２４】
先ず、実施例１の構成について説明する。
【００２５】
図１は、実施例１の吊り階段２Ａを備えたユニット建物Ｕ１の概略構成を示している。
【００２６】
このユニット建物Ｕ１は、基礎１Ｂ上に、１階部分の建物ユニット１ａ，１ｂ，１ｃ，１ｄと、２階部分の建物ユニット１ｅ，１ｆ，１ｇ，１ｈとが組み付けられて、建物本体１Ａが構築されている。
【００２７】
そして、１階部分の建物ユニット１ｃ，１ｄ内に連通して吊り階段２Ａが設置されている。
【００２８】
ここで、建物ユニット１ａ，１ｂ，１ｅ，１ｆは、短辺側の長さが略２５００ｍｍで、長辺側の長さが略５４００ｍｍの建物ユニットである。
【００２９】
また、建物ユニット１ｃ，１ｄ，１ｇ，１ｈは、短辺側の長さが略９００ｍｍで、長辺側の長さが略２５００ｍｍの張出ユニットである。
【００３０】
さらに、吊り階段２Ａと直交する１階部分の建物ユニット１ｃ，１ｄの隣り合う部分の天井梁と、２階部分の建物ユニット１ｇ，１ｈの隣り合う部分の床梁とは、この吊り階段２Ａの設置の支障とならないように省略されている。
【００３１】
この実施例１の吊り階段２Ａは、図２に示したように、建物ユニット１ｃ，１ｄの吊り部としての溝形鋼の天井梁３に凹部を向かい合わせにしてスチフナー４が、溶接などによりそれぞれ固定して設けられている。
【００３２】
ここで、これらのスチフナー４に、吊りロッドパネル２１，２２，２３がそれぞれ吊設されている。
【００３３】
これら吊りロッドパネル２１，２２，２３は、図３〜図５に示したように、基本的には、立ち上がり部５Ａにスチフナー４にボルト及びナットで固定するための複数のボルト孔５ａ，・・・が設けられたＪ形断面の支持材５の水平部５Ｂに複数の吊りロッド６，・・・の上端部が溶接などにより固定されている。
【００３４】
そして、吊りロッド６に設けられたボルト孔６ａの位置で、水平面部にビス孔８ａ，８ａを有する断面Ｌ形の長尺の固定部材８が、各吊りロッド６の下端部で略水平となるように、ボルト７及びナット（図示せず）により固定されている。
【００３５】
なお、吊りロッドパネル２１の最上段の固定部材８のみは、Ｊ形断面の支持材５の立ち上がりリップ部５Ｃにボルト７及びナット（図示せず）により固定されている。
【００３６】
また、全体の最上段から２段目の固定部材８Ａは、天井梁３の上辺と略同じ高さ位置で、内壁面（図示せず）にボルト及びナット（図示せず）により固定されている。
【００３７】
そして、対向する固定部材８，８及び８Ａ，８Ａ間で、段板９の幅方向の両端部がビス孔８ａの部分でビスなどの締結部材によりそれぞれ固定されている。
【００３８】
なお、全体の最上段の段板９Ａは、２階部分の床材１０ｂに延設されて設けられている。
【００３９】
そして、複数の吊りロッド６，・・・に、吊り階段２Ａの勾配に合わせた所要の高さ位置で、手摺り１１が溶接などにより固定されて、吊り階段２Ａが構成されている。
【００４０】
次に、実施例１の吊り階段２Ａの構築方法について説明する。
【００４１】
まず、工場において、建物ユニット１ｂ，１ｄを、図６に示したように、一体とする。
【００４２】
ここで、建物ユニット１ｂ，１ｄには、図７に示したように、床材１０ａを予め設けておく。
【００４３】
また、建物ユニット１ｄの外側に面する構面には、壁としての内壁材１４も予め設けておく。
【００４４】
そして、図７（ａ）に示したように、支持面としての床材１０ａの上に、位置決め用治具１３，１３を設置するとともに、位置決め用治具１３，１３の上に吊りロッドパネル２１をそれぞれ載せて、段板９，・・・の幅と略同一の間隔で、吊りロッドパネル２１，２１を略平行に配置し、仮位置決めする。
【００４５】
続いて、図７（ｂ）に示したように、位置決め用治具１３，１３間を連結部材１３ａにより連結するとともに、内壁材１４に面しない側の位置決め用治具１３には、自立用脚部材１３ｂも取り付ける。
【００４６】
続いて、図７（ｃ）に示したように、吊りロッドパネル２１の固定部材８，８間に、段板９を固定する。
【００４７】
こうして、吊りロッドパネル２１，２１と段板９，・・・との位置関係が整ったところで、図８に示したように、吊りロッドパネル２１の支持材５の立ち上がり部５Ａを、天井梁３に固定されたスチフナー４に設けた切り欠き４ｂに手を入れて、ボルト１２とナット（図示せず）により固定して、スチフナー４へ取り付ける。
【００４８】
ここで、スチフナー４に設けられたボルト孔４ａは、スチフナー４の長手方向に長い長孔とされており、この誤差を吸収して補正することができるようになっている。
【００４９】
こうして、吊りロッドパネル２１，２１と段板９，・・・とを設置した後、図９に示したように、位置決め用治具１３，１３、連結部材１３ａ、及び自立用脚部材１３ｂは撤去する。
【００５０】
また、建物ユニット１ａ，１ｃも、建物ユニット１ｂ，１ｄと同様に、図１０に示したように、工場において、一体とし、吊りロッドパネル２３，２３と段板９，・・・とを固定する。
【００５１】
このようにして工場で加工された建物ユニット１ｂ，１ｄ及び建物ユニット１ａ，１ｃは、トラックなどの輸送手段により現場へ輸送する。
【００５２】
そして、建物ユニット１ｂ，１ｄ及び建物ユニット１ａ，１ｃは、図１１に示したように、基礎１Ｂの上で組み付けられ、その上に、同じく、トラックなどの輸送手段により現場へ輸送してきた建物ユニット１ｅ，１ｇ及び建物ユニット１ｆ，１ｈを組み付けて、建物本体１Ａを構築する。
【００５３】
ここでは、図１２に示したように、吊りロッドパネル２２とこの吊りロッドパネル２２の固定部材８，・・・に段板９，・・・が未だ吊設されていない。
【００５４】
この状態で、二点鎖線で示したように、吊りロッドパネル２２を吊設し、固定部材８，・・・に段板９，・・・を固定する。
【００５５】
そして、最後に手摺り１１を、溶接などにより、吊りロッド６，・・・に固定すると、図１に示したように、吊り階段２Ａが構築される。
【００５６】
次に、実施例１の作用効果について説明する。
【００５７】
このような実施例１の吊り階段の構築方法は、複数の吊りロッド６，・・・とこれら複数の吊りロッド６，・・・の上端部が支持される支持材５とこれら複数の吊りロッド６，・・・の下端部に設けられた固定部材８，・・・とから成る吊りロッドパネル２１，２２，２３を用いる吊り階段２Ａの構築方法である。
【００５８】
そして、段板９，・・・の幅と略同一の間隔で、吊りロッドパネル２１，２１及び吊りロッドパネル２３，２３をそれぞれ略平行に配置し、吊りロッドパネル２１，２１及び吊りロッドパネル２３，２３を、支持面としての床材１０ａの上に設置した位置決め用治具１３によりそれぞれ仮位置決めし、固定部材８，８間に段板９，・・・を固定した後に、吊りロッドパネル２１，２１及び吊りロッドパネル２３，２３の支持材５を吊り部としての天井梁３に固定し、位置決め用治具１３を撤去して吊り階段２Ａを構築する構成とされている。
【００５９】
こうした構成なので、吊りロッドパネル２１，２２，２３と段板９，・・・とを容易に精度よく組み付けることができるため、長期の使用に耐える吊り階段２Ａを、一般の建物に構築することができる。
【００６０】
ここで、段板９，・・・を固定部材８，・・・に固定する前に、位置決め用治具１３，１３間を連結部材１３ａにより連結するとともに、内壁材１４に面しない側の位置決め用治具１３に自立用脚部材１３ｂを取り付ける。
【００６１】
このため、段板９，・・・を固定部材８，・・・に固定する際に、位置決め用治具１３，１３が揺れずに安定するため、正確な固定作業を行うことができる。
【００６２】
また、吊り階段２Ａの一部を、建物ユニット１ｂ，１ｄ及び建物ユニット１ａ，１ｃ内に予め構築する。
【００６３】
このため、ユニット建物Ｕ１に吊り階段２Ａを構築する工程の一部を工場で済ますことができるので、ユニット建物Ｕ１の工期を短縮することができる。
【実施例２】
【００６４】
次に、実施例２について説明する。
【００６５】
なお、実施例１で説明した内容と同一乃至均等な部分の説明については同一符号を付して説明する。
【００６６】
先ず、実施例２の構成について説明する。
【００６７】
図１３は、実施例２の吊り階段２Ｂを備えたユニット建物Ｕ２の概略構成を示している。
【００６８】
このユニット建物Ｕ２は、基礎１Ｂ上に、１階部分の建物ユニット１ａ，１ｂ，１ｃ，１ｄと、２階部分の建物ユニット１ｅ，１ｆ，１ｇ，１ｈとが組み付けられて、建物本体１Ａが構築されている。
【００６９】
そして、１階部分の建物ユニット１ｃ，１ｄ内に連通して吊り階段２Ｂが設置されている。
【００７０】
ここで、建物ユニット１ａ，１ｂ，１ｅ，１ｆは、短辺側の長さが略２５００ｍｍで、長辺側の長さが略５４００ｍｍの建物ユニットである。
【００７１】
また、建物ユニット１ｃ，１ｄ，１ｇ，１ｈは、短辺側の長さが略９００ｍｍで、長辺側の長さが略２５００ｍｍの張出ユニットである。
【００７２】
さらに、吊り階段２Ｂと直交する１階部分の建物ユニット１ｃ，１ｄの隣り合う部分の天井梁と、２階部分の建物ユニット１ｇ，１ｈの隣り合う部分の床梁とは、この吊り階段２Ｂの設置の支障とならないように省略されている。
【００７３】
この実施例２の吊り階段２Ｂの内側部分は、図２に示したように、建物ユニット１ｃ，１ｄの吊り部としての溝形鋼の天井梁３に凹部を向かい合わせにしてスチフナー４が、溶接などによりそれぞれ固定して設けられている。
【００７４】
ここで、これらのスチフナー４に、吊りロッドパネル２１，２２，２３がそれぞれ吊設されている。
【００７５】
これら吊りロッドパネル２１，２２，２３は、図３〜図５に示したように、基本的には、立ち上がり部５Ａにスチフナー４にボルト及びナットで固定するための複数のボルト孔５ａ，・・・が設けられたＪ形断面の支持材５の水平部５Ｂに複数の吊りロッド６，・・・の上端部が溶接などにより固定されている。
【００７６】
そして、吊りロッド６に設けられたボルト孔６ａの位置で、水平面部にビス孔８ａ，８ａを有する断面Ｌ形の長尺の固定部材８が、各吊りロッド６の下端部で略水平となるように、ボルト７及びナット（図示せず）により固定されている。
【００７７】
なお、吊りロッドパネル２１の最上段の固定部材８のみは、Ｊ形断面の支持材５の立ち上がりリップ部５Ｃにボルト７及びナット（図示せず）により固定されている。
【００７８】
また、全体の最上段から２段目の固定部材８Ａは、天井梁３の上辺と略同じ高さ位置で、内壁面（図示せず）にボルト及びナット（図示せず）により固定されている。
【００７９】
一方で、吊り階段２Ｂの外側部分は、図１４に示したように、長尺な略菱形板状の壁プレート材２０ａの表面にボルト及びナット（図示せず）により固定部材８０，・・・が固定して設けられた壁プレート２０が、壁としての内壁材１４の表面に固定されている。
【００８０】
ここで、壁プレート２０は、複数に分割された壁プレートピース２０Ａ，・・・が接続されたものとされている（図１５を参照）。
【００８１】
そして、対向する固定部材８，８０及び８Ａ，８０間で、段板９の幅方向の両端部がビス孔８ａ，８０ａの部分でビスなどの締結部材によりそれぞれ固定されている。
【００８２】
なお、全体の最上段の段板９Ａは、２階部分の床材１０ｂに延設されて設けられている。
【００８３】
そして、複数の吊りロッド６，・・・に、吊り階段２Ａの勾配に合わせた所要の高さ位置で、手摺り１１が溶接などにより固定されて、吊り階段２Ｂが構成されている。
【００８４】
次に、実施例１の吊り階段２Ｂの構築方法について説明する。
【００８５】
まず、工場において、建物ユニット１ｂ，１ｄを、図６に示したように、一体とする。
【００８６】
ここで、建物ユニット１ｂ，１ｄには、図７に示したように、床材１０ａを予め設けておく。
【００８７】
また、建物ユニット１ｄの外側に面する構面には、壁としての内壁材１４も予め設けておく。
【００８８】
そして、図１６（ａ）に示したように、支持面としての床材１０ａの上に、位置決め用治具１３，１３を設置するとともに、内壁材１４に面しない側の位置決め用治具１３の上に吊りロッドパネル２１を載せ、内壁材１４に面する側の位置決め用治具１３の上に壁プレートピース２０Ａを載せて、段板９，・・・の幅と略同一の間隔で、吊りロッドパネル２１と壁プレートピース２０Ａとを略平行に配置し、仮位置決めする。
【００８９】
続いて、図１６（ｂ）に示したように、位置決め用治具１３，１３間を連結部材１３ａにより連結するとともに、内壁材１４に面しない側の位置決め用治具１３には、自立用脚部材１３ｂも取り付ける。
【００９０】
続いて、図１６（ｃ）に示したように、吊りロッドパネル２１の固定部材８と壁プレートピース２０Ａの固定部材８０間に、段板９を固定する。
【００９１】
こうして、吊りロッドパネル２１と壁プレートピース２０Ａと段板９，・・・との位置関係が整ったところで、図８に示したように、吊りロッドパネル２１の支持材５の立ち上がり部５Ａを、天井梁３に固定されたスチフナー４に設けた切り欠き４ｂに手を入れて、ボルト１２とナット（図示せず）により固定して、スチフナー４へ取り付ける。
【００９２】
ここで、スチフナー４に設けられたボルト孔４ａは、スチフナー４の長手方向に長い長孔とされており、この誤差を吸収して補正することができるようになっている。
【００９３】
また、壁プレートピース２０Ａは、内壁材１４の表面に、ビス（図示せず）により取り付ける。
【００９４】
こうして、吊りロッドパネル２１と壁プレートピース２０Ａと段板９，・・・とを設置した後、図１７に示したように、位置決め用治具１３，１３、連結部材１３ａ、及び自立用脚部材１３ｂは撤去する。
【００９５】
また、建物ユニット１ａ，１ｃも、建物ユニット１ｂ，１ｄと同様に、図１８に示したように、工場において、一体とし、吊りロッドパネル２３と壁プレートピース２０Ａと段板９，・・・とを固定する。
【００９６】
このようにして工場で加工された建物ユニット１ｂ，１ｄ及び建物ユニット１ａ，１ｃは、トラックなどの輸送手段により現場へ輸送する。
【００９７】
そして、建物ユニット１ｂ，１ｄ及び建物ユニット１ａ，１ｃは、図１９に示したように、基礎１Ｂの上で組み付けられ、その上に、同じく、トラックなどの輸送手段により現場へ輸送してきた建物ユニット１ｅ，１ｇ及び建物ユニット１ｆ，１ｈを組み付けて、建物本体１Ａを構築する。
【００９８】
ここでは、図１２に示したように、吊りロッドパネル２２とこの吊りロッドパネル２２の固定部材８，・・・に段板９，・・・が未だ吊設されていない。
【００９９】
また、図１９に示したように、内壁材１４には、壁プレート２０を構成する残りの壁プレートピース２０Ａ，・・・も未だ取り付けられていない。
【０１００】
この状態で、吊りロッドパネル２２を吊設するとともに、壁プレート２０を構成する残りの壁プレートピース２０Ａ，・・・を取り付けて、固定部材８，８０間に段板９を固定する。
【０１０１】
そして、最後に手摺り１１を、溶接などにより、吊りロッド６，・・・に固定すると、図１３に示したように、吊り階段２Ｂが構築される。
【０１０２】
次に、実施例２の作用効果について説明する。
【０１０３】
このような実施例２の吊り階段の構築方法は、複数の吊りロッド６，・・・とこれら複数の吊りロッド６，・・・の上端部が支持される支持材５とこれら複数の吊りロッド６，・・・の下端部に設けられた固定部材８とから成る吊りロッドパネル２１，２２，２３、及び壁プレート材２０ａとこの壁プレート材２０ａの表面に設けられた固定部材８０，・・・とから成る壁プレート２０を用いる吊り階段２Ｂの構築方法である。
【０１０４】
そして、段板９，・・・の幅と略同一の間隔で、吊りロッドパネル２１と壁プレート２０を構成する壁プレートピース２０Ａ及び吊りロッドパネル２３と壁プレート２０を構成する壁プレートピース２０Ａをそれぞれ略平行に配置し、吊りロッドパネル２１と壁プレートピース２０Ａ及び吊りロッドパネル２３と壁プレートピース２０Ａを、支持面としての床材１０ａの上に設置した位置決め用治具１３によりそれぞれ仮位置決めし、吊りロッドパネル２１，２３の固定部材８と壁プレートピース２０Ａの固定部材８０との間に段板９，・・・を固定した後に、吊りロッドパネル２１，２３の支持材５を吊り部としての天井梁３に固定するとともに、壁プレート２０を構成する壁プレートピース２０Ａを壁としての内壁材１４に固定し、位置決め用治具１３を撤去して吊り階段２Ｂを構築する構成とされている。
【０１０５】
こうした構成なので、吊りロッドパネル２１，２２，２３と壁プレート２０と段板９，・・・とを容易に精度よく組み付けることができるため、長期の使用に耐える吊り階段２Ｂを、一般の建物に構築することができる。
【０１０６】
ここで、壁プレート２０には、その上面と下面とが、略平行な平面である略菱形板形状のものを用いる。
【０１０７】
このため、壁としての内壁材１４に壁紙などの壁仕上げ材を貼り付ける際に、壁プレート２０との見切り部分が略直線状となるため、容易に貼り付けることができる。
【０１０８】
また、壁プレート２０には、長手方向に複数に分割された壁プレートピース２０Ａ，・・・を用いる。
【０１０９】
このため、分割された壁プレートピース２０Ａは、サイズ的に取り扱いが容易なうえに、一部を壁としての内壁材１４に固定し、残りの壁プレートピース２０Ａ・・・は、これに組み合わせて内壁材１４に固定すればよく、壁プレート２０の内壁材１４への固定作業を容易に行うことができる。
【０１１０】
さらに、段板９，・・・を固定部材８，８０間に固定する前に、位置決め用治具１３，１３間を連結部材１３ａにより連結するとともに、内壁材１４に面しない側の位置決め用治具１３に自立用脚部材１３ｂを取り付ける。
【０１１１】
このため、段板９，・・・を固定部材８，８０間に固定する際に、位置決め用治具１３，１３が揺れずに安定するため、正確な固定作業を行うことができる。
【０１１２】
また、吊り階段２Ｂの一部を、建物ユニット１ｂ，１ｄ及び建物ユニット１ａ，１ｃ内に予め構築する。
【０１１３】
このため、ユニット建物Ｕ２に吊り階段２Ｂを構築する工程の一部を工場で済ますことができるので、ユニット建物Ｕ２の工期を短縮することができる。
【０１１４】
以上、図面を参照して、本発明を実施するための形態について実施例１，２をもとに詳述してきたが、具体的な構成は、上記した実施例１，２に限らず、本発明の要旨を逸脱しない程度の設計的変更は、本発明に含まれる。
【０１１５】
例えば、上記実施例１，２では、ユニット建物Ｕ１，Ｕ２を、説明が簡単なように、単純な２階建てとしたが、これに限定されず、３階建て以上のものとして実施してもよい。
【０１１６】
また、上記実施例１，２では、建物ユニット１ｂ，１ｄ及び建物ユニット１ａ，１ｃに、吊り階段２Ａ，２Ｂの一部のみを予め設けて実施したが、これに限定されず、建物ユニットに吊り階段の全体を予め設けて実施してもよい。
【０１１７】
さらに、上記実施例１，２では、吊り階段２Ａ，２Ｂをユニット建物Ｕ１，Ｕ２に設置して実施したが、これに限定されず、ユニット建物でない建物に実施してもよい。
【符号の説明】
【０１１８】
Ｕ１，Ｕ２  ユニット建物
１Ａ    建物本体
１Ｂ    基礎
１ａ，１ｂ，１ｃ，１ｄ  建物ユニット
１ｅ，１ｆ，１ｇ，１ｈ  建物ユニット
２Ａ，２Ｂ  吊り階段
２１，２２，２３  吊りロッドパネル
２０    壁プレート
２０ａ  壁プレート材
２０Ａ  壁プレートピース
３      天井梁（吊り部）
４      スチフナー
４ａ    ボルト孔
４ｂ    切り欠き
５      支持材
５ａ    ボルト孔
５Ａ    立ち上がり部
５Ｂ    水平部
５Ｃ    立ち上がりリップ部
６      吊りロッド
６ａ    ボルト孔
７      ボルト
８      固定部材
８Ａ    固定部材
８０    固定部材
８ａ    ビス孔
８０ａ  ビス孔
９，９Ａ  段板
１０ａ    床材（支持面）
１０ｂ    床材
１１    手摺り
１２    ボルト
１３    位置決め用治具
１３ａ  連結部材
１３ｂ  自立用脚部材
１４    内壁材（壁）
【図１】
2011099255.tif 000003
【図２】
2011099255.tif 000004
【図３】
2011099255.tif 000005
【図４】
2011099255.tif 000006
【図５】
2011099255.tif 000007
【図６】
2011099255.tif 000008
【図７】
2011099255.tif 000009
【図８】
2011099255.tif 000010
【図９】
2011099255.tif 000011
【図１０】
2011099255.tif 000012
【図１１】
2011099255.tif 000013
【図１２】
2011099255.tif 000014
【図１３】
2011099255.tif 000015
【図１４】
2011099255.tif 000016
【図１５】
2011099255.tif 000017
【図１６】
2011099255.tif 000018
【図１７】
2011099255.tif 000019
【図１８】
2011099255.tif 000020
【図１９】
2011099255.tif 000021